(57)【要約】【課題】地震などによる横揺れや縦揺れの振動にも強く、且つ軽量、コンパクトであり、限られたスペース内での作業が容易である施工性にも優れる支持装置、及び耐火ブロックと組み合わせて防火区画処理を施した支持装置とすることで、優れた防火性能と施工性を得て、且つメンテナンスが容易である支持装置を提供する。【解決手段】建造物の床貫通部に嵌め込んで固定される貫通スリーブと、前記貫通スリーブの上面縁に設けられる一対の支持フレームと、前記支持フレームの両端に設けられる少なくとも１以上の脚部とを備え、前記支持フレームは、前記貫通スリーブの上面縁で前記貫通スリーブに固定され、且つ前記長尺体の固定位置を調節可能な固定部を有し、前記脚部は、床面からの高さが調整可能な構造を有し、且つ前記支持装置を床に固定する構造であることを特徴とする支持装置。【選択図】図１
2007318841.tif 000002
【特許請求の範囲】
【請求項１】
建造物の床貫通部に設けて、建造物内を貫通する長尺体を固定する支持装置であって、
建造物の床貫通部に嵌め込んで固定される貫通スリーブと、前記貫通スリーブの上面縁に設けられる一対の支持フレームと、前記支持フレームの両端に設けられる少なくとも１以上の脚部とを備え、
前記支持フレームは、前記貫通スリーブの上面縁で前記貫通スリーブに固定され、且つ前記長尺体の固定位置を調節可能な固定部を有し、
前記脚部は、床面からの高さが調整可能な構造を有し、且つ前記支持装置を床に保持又は固定する構造である
ことを特徴とする支持装置。
【請求項２】
建造物の床貫通部に設けて、建造物内を貫通する長尺体を固定する支持装置であって、
建造物の床貫通部に嵌め込んで固定される貫通スリーブと、前記貫通スリーブの上面縁に載置される一対の支持フレームと、前記支持フレームの両端に設けられる少なくとも１以上の脚部と、前記貫通スリーブの内部に支持板を介して載置される耐火ブロックとを備え、
前記支持フレームは、前記貫通スリーブの上面縁で前記貫通スリーブに固定され、且つ前記長尺体の固定位置を調節可能な固定部を有し、
前記脚部は、床面からの高さが調整可能な構造を有し、且つ前記支持装置を床に保持又は固定する構造である
ことを特徴とする支持装置。
【請求項３】
前記支持フレームの断面形状が、コ字状形状の上端部及び下端部の対向するほぼ平行な辺の先端をコ字の内側に向けて、ほぼ平行な辺を連結する垂直な辺にほぼ平行な方向に折り曲げた断面形状であることを特徴とする請求項１乃至請求項２のいずれか１項に記載の支持装置。
【請求項４】
前記支持装置を用いて固定される建造物内を貫通する長尺体に加わる荷重における水平荷重分を、貫通スリーブと、その上面縁に固定した支持フレームとで担い、垂直荷重分を、支持フレームの両端に設けられる脚部で担うことを特徴とする建造物内を貫通する長尺体の支持手段を有する請求項１から請求項３のいずれかに記載の支持装置。
【発明の詳細な説明】
【技術分野】
【０００１】
建造物の床を貫通して設置されるバスダクトや電気線を配するケーブルラックなどの長尺体を床貫通部において支持する支持装置に関する。
【背景技術】
【０００２】
ビルなどの多層階建造物の各階に電気や信号を伝達したり、空調などを行う場合に、各階の床に貫通部を設けて電気配線や空調配管などを、その貫通部に通して各階に送りとどけているが、高層階の建造物になるにつれ、電気配線や空調配管は長くなり、その自重が増加していくために、各階で支持することが必要となっている。
従来、床貫通部の貫通開口部に特許文献１や特許文献２に記載される支持枠を設け、配線や配管およびケーブルラックなどを支持枠に固定している。
【０００３】
図５に示される特許文献１に記載される支持枠５１は、ケーブルラック５４を床、側壁などの貫通部に固定するもので、筒開口部に外向フランジ５２ａを設けた筒状枠本体５２とこの筒状枠本体５２の開口部にスライド自在に装架され且つ固定される一対のケーブルラック取付フレーム５３とからなり、該ケーブルラック取り付けフレーム５３は、適当幅を有する基板５３ａの端部に本体外向フランジ５２ａに係合する係合部５２ｂ、係合部に対応して固定ネジ５３ｃ、基板５３ａの側辺に立上壁５３ｄ、立上壁５３ｄの適所にケーブルラック取付用の長孔５３ｅを設けて構成されている。
【０００４】
図６に示される特許文献２に提供される支持枠６１は、床、側壁などの貫通部に埋設されて配管・配線用貫通部を形成すると共に支持枠本体６２が断面矩形筒状体から成り、該支持枠本体６２の一方の開口部外側の相対向する位置に、コ字の上線部分６３ａと下線部分６３ｂが外向きとなると共に縦線部分６３ｃが貫通方向と略一致するように該縦線部分６３ｃが前記支持枠本体６２の一方の開口部外側に夫々取り付けられ、前記コ字の上線部分６３ａにケーブルラック固定用アングル取付用孔部６４ａが設けられ、床のコンクリート打設時に前記コ字の上線部分６３ａの全部と前記コ字の縦線部分６３ｃの途中部分までが床から露出し、他の部分が床内に埋設する構成を有する断面コ字状部材６３が夫々取り付けられており、該相対向する位置の断面コ字状部材６３には、ケーブルラック固定用アングル６４が架渡、取り付けされる構成となっている。
【０００５】
【特許文献１】実開平７−２７２４０号公報
【特許文献２】登録実用新案第３１１１８２３号公報
【発明の開示】
【発明が解決しようとする課題】
【０００６】
しかしながら、上記特許文献１記載の支持枠５１では、ケーブルラック取り付けフレーム５３が外向フランジ５２ａの狭小な部分に載置されているだけであることから、ケーブルラック５４をケーブルラック取り付けフレーム５３に取り付けて固定した場合、ケーブルラック取り付けフレーム５３、そのものが動いてしまう恐れがあり、十分に支持しているとはいえず、特に地震が起きた場合では、地震の縦揺れ、横揺れによりケーブルラック取り付けフレーム５３が、外向フランジ５２ａより外れてしまい、ケーブルラック５４に取り付けられているケーブルなどを傷つけてしまう恐れがある。更に支持枠本体５２だけで、ケーブルラック５４の重量を支えているので、強度的に支持枠本体５２の板厚を厚くする必要があることから、自重が増加し、ハンドリングを悪くし、その作業性を低下させ、併せて価格も上昇してしまう問題がある。
【０００７】
一方、床貫通部に支持枠を施工する場合、通常、支持枠の上面縁は、床面から０ｍｍから１００ｍｍの高さの位置に来るように調節しながら施工されることが多いが、特許文献２記載の支持枠６１は、ケーブルを支持するのに一定サイズのコ字状部材６３を、予め取り付けておくことが必要なため、施工現場の状況に合わせて、その高さを調節した数種類のサイズの断面コ字状部材６３を取り付けた支持枠６１を用意しなければならない。
【０００８】
また、ケーブルラック固定用アングル６４は、断面コ字状部材６３に固定具（ボルト・ナット）を用いて取り付けられているために、地震の横揺れに対しては、相応の耐久性を有しているが、大きな縦揺れに対しては、構造上から、その揺れを吸収することができず、ケーブルラック固定用アングル６４が断面コ字状部材６３からはずれて、ケーブルラックに取り付けられているケーブルなどを傷つけてしまう恐れがある。
【０００９】
本発明は、このような状況に鑑み、種々の検討を踏まえて成したもので、地震などによる横揺れや縦揺れの振動にも強く、その施工性にも優れる支持装置を提供すると共に、支持装置と耐火ブロックを組み合わせて用いることにより、優れた防火性能と施工性、及びメンテナンスも容易である支持装置を提供するものである。
【課題を解決するための手段】
【００１０】
請求項１記載の発明は、建造物の床貫通部に設けて、建造物内を貫通する長尺体を固定する支持装置であって、建造物の床貫通部に嵌め込んで固定される貫通スリーブと、前記貫通スリーブの上面縁に設けられる一対の支持フレームと、前記支持フレームの両端に設けられる少なくとも１以上の脚部とを備え、前記支持フレームは、前記貫通スリーブの上面縁で前記貫通スリーブに固定され、且つ前記長尺体の固定位置を調節可能な固定部を有し、前記脚部は、床面からの高さが調整可能な構造を有し、且つ前記支持装置を床に固定する構造であることを特徴とする支持装置である。
【００１１】
請求項２記載の発明は、建造物の床貫通部に設けて、建造物内を貫通する長尺体を固定する支持装置であって、建造物の床貫通部に嵌め込んで固定される貫通スリーブと、前記貫通スリーブの上面縁に載置される一対の支持フレームと、前記支持フレームの両端に設けられる少なくとも１以上の脚部と、前記貫通スリーブの内部に支持板を介して載置される耐火ブロックとを備え、前記支持フレームは、前記貫通スリーブの上面縁で前記貫通スリーブに固定され、且つ前記長尺体の固定位置を調節可能な固定部を有し、前記脚部は、床面からの高さが調整可能な構造を有し、且つ前記支持装置を床に固定する構造であることを特徴とする支持装置である。
【００１２】
請求項３記載の発明は、前記支持フレームの断面形状が、コ字状形状の上端部及び下端部の対向するほぼ平行な辺の先端をコ字の内側に向けて、ほぼ平行な辺を連結する垂直な辺にほぼ平行な方向に折り曲げた断面形状であることを特徴とする請求項１乃至請求項２のいずれか１項に記載の支持装置である。
【００１３】
請求項４記載の発明は、前記支持装置を用いて固定される建造物内を貫通する長尺体に加わる荷重における水平荷重分を、貫通スリーブと、その上面縁に固定した支持フレームとで担い、垂直荷重分を、支持フレームの両端に設けられる脚部で担うことを特徴とする建造物内を貫通する長尺体の支持手段を有する請求項１から請求項３のいずれかに記載の支持装置である。
【発明の効果】
【００１４】
本発明に係る支持装置は、軽量、コンパクトあることから、限られたスペース内での作業が容易であり、且つ地震などによる横揺れや縦揺れの振動にも強く、更に、その施工性にも優れる支持装置であり、更に、本発明に係る支持装置と耐火ブロックとを組み合わせて防火区画処理を施した支持装置とすることで、優れた防火性能と施工性が得られ、且つ、メンテナンスが容易である支持装置を提供するもので、工業上顕著な効果を奏するものである。
【発明を実施するための最良の形態】
【００１５】
以下、図を用いて本発明に係る支持装置を説明する。
図１は、本発明に係る支持装置の第一の実施形態を示す図で、（ａ）は外観斜視図、（ｂ）は、図１（ａ）におけるａ−ａ断面図である。
図１において、１は長尺体、２は支持フレーム、３は貫通スリーブ、３ａは貫通スリーブ上面フランジ部、５は脚部、６は上面フランジ部孔、７は支持フレーム２を貫通スリーブ３の上面フランジ部３ａに固定する締結具（ボルト・ナット）、８は長尺体１を支持フレーム２に固定する長尺体固定具、１０は第一の実施形態に係る支持装置である。
【００１６】
支持装置１０は、図１（ａ）に示されるように、一対の支持フレーム２と、支持フレーム２の両端に設けられる脚部固定孔２ｂに取り付けられる受け足５ｃを有する脚部５と、長尺体１を支持フレーム２に取り付ける長尺体固定具８とで構成される。貫通スリーブ３への取り付けは、貫通スリーブ３の上面フランジ部３ａに設けた上面フランジ部孔６と支持フレーム２に設けた支持フレーム固定孔２ａとを合わせ、締結具７（ボルト・ナット）で、貫通スリーブ３に支持フレーム２を取り付け固定する。貫通スリーブ３への支持フレーム２への取り付けは、ボルト・ナット等の締結具ではなく、他の締結具を用いても良いし、溶接等の手段を用いることもできる。
【００１７】
次に、床貫通部への支持装置１０の設置は、図１（ｂ）に示すように貫通スリーブ３を床貫通部２０に嵌め込み、その周囲にコンクリートを打設して貫通スリーブ３を固定した後、支持装置１０を貫通スリーブ３に締結もしくは溶接により固定し、脚部５の高さを調節して支持装置１０をより強力に床に保持する方法、或いは支持装置１０を取り付けた貫通スリーブ３を床貫通部に嵌めこみ、脚部５の高さを調節した後、コンクリートを貫通スリーブ３の周囲に打設して固定する方法で行われ、この場合、脚部５の受け足５ｃを貫通スリーブ３の周囲に打設するコンクリートに埋設させると、より強力な保持が可能となる。また、受け足５ｃは、強度的に十分であれば、ボルト等脚部５と一体のものを用いても良い。
【００１８】
本発明で用いる支持フレーム２は、図２に示す断面形状及び構造を有するチャンネル材を用いると良い。図２（ａ）に示す断面形状であることで、長尺体１を支持フレーム２に取り付ける際に、長尺体１の位置に合わせて、長尺体固定具８の位置を容易に設定することが可能となり作業性が大幅に向上すると共に、長尺体のサイズや形状に依存せずに取り付けることができる。
【００１９】
即ち、長尺体１を支持フレーム２に取り付ける際、縦方向の取り付け位置は、図２（ｃ）に示す長尺体固定具８に備わる中ナット８ａを緩め、長尺体１の位置に合わせて長尺体固定具８の位置を微調節し、固定ナット８ｂを締めこんで長尺体１と支持フレーム２とを締結する。
一方、横方向の取り付け位置は、長尺体固定具８に備わる固定ナット８ｃを緩め、位置の微調整を行って、取り付け位置を決め、固定ネット８ｃを締めこんで支持フレーム２に長尺体固定具８とを締結する。
なお、支持フレーム２の断面形状は、図２（ａ）に示す形状に限定せず、長尺体１と長尺体固定具８の締結位置を微調整できる長孔を有したチャンネル断面形状材やＬ型断面形状材でも良い。
【００２０】
図３（ａ）、（ｂ）は第一の実施形態で用いた脚部５の外観斜視図および支持フレーム２への取り付け部の部分断面図である。
支持フレーム２の両端に備える脚部５は、長さが調節可能なアジャスターボルト５ａを用い、高さ調節ナット５ｂとアジャスターボルト５ａの一端に受け足５ｃを有した構造のものを示しているが、長尺体の重量に耐えうる強度を有し、高さの調節が可能で、且つ支持装置を床に保持する構造、或いは固定する構造であるなら良い。
【００２１】
例えば図３（ｃ）に示すように、図１の支持フレーム２と同断面形状のチャンネル脚１５ｂを用いて、Ｌ型締結具１７の一端を支持フレーム２の端部に取り付け、他端をチャンネル脚１５ｂに取り付け、脚部１５とした構造でも良い。この場合、脚部１５の高さの調節は、Ｌ型締結具１７の締結具１８を緩めることで高さ調節ができる。その他、図３（ｄ）、（ｅ）に示すような脚部でも良い。
なお、図１に示す支持装置１０において、脚部５は支持フレーム２の両端に１脚ずつ配置されている例を示したが、長尺体１の数や種類により、複数脚の脚部を設けるのが望ましい。
【００２２】
上述した本発明に係る支持装置１０は、長尺体１に加わる荷重のうち、その水平荷重分を貫通スリーブ３と、その上面フランジ部３ａと固定した支持フレーム２で主として受け止め、垂直荷重分を脚部５で主として受け止める。このように荷重を分散して受け止めることで、支持装置１０の全体の耐荷重性能を高めている。
【００２３】
しかも、支持フレーム２及び脚部５、１５で構成される支持部分は、構成部材が少なく、材料コストも低廉となり、更に軽量且つコンパクトであることから、施工現場への輸送や施工時のハンドリングが容易であり、更に支持装置１０を施工する床貫通部近傍のスペースが限られている場合でも、その施工や取り付けの制限を受けることを少なくすることができる。
【００２４】
また、脚部５、１５は貫通スリーブ３の上面フランジ部３ａから床面までの高さの調節可能な機能を有することで、施工現場の状況に合わせて臨機応変に対応して支持装置１０を固定することができる。
【００２５】
図４は、本発明に係る支持装置の第二の実施形態を示すもので、第一の実施形態で示した支持装置の貫通スリーブ３の底面部に支持板１２を設け、その支持板１２上に耐火ブロック１３を載置して防火区画処理を行った支持装置１１の外観斜視図である。このようにすることで、耐火ブロックによりブロックの上下の空間を離隔して、火災時に上階から下階、下階から上階への延焼を防止し、ケーブル類を保護することができる。
このように本発明に係る支持装置１１は、その上部から目視することができ、耐火ブロック１３の劣化、破損および載置状況の確認が容易であり、メンテナンス性に優れるものである。
【図面の簡単な説明】
【００２６】
【図１】本発明に係る支持装置の第一の実施形態を示す図で、（ａ）は外観斜視図、（ｂ）は図１（ａ）のａ−ａ断面図である。
【図２】本発明で用いられる支持フレームを表すもので、（ａ）、（ｂ）は第一及び第二の実施形態で用いた支持フレームの断面図および側面図、（ｃ）は長尺体を支持フレームへ取り付ける場合の説明図である。
【図３】本発明で用いられる脚部の構造を示す図で、（ａ）は第一及び第二の実施形態で用いた脚部５の外観斜視図、（ｂ）は脚部５の支持フレーム２への取り付け状態を示す部分断面図、（ｃ）、（ｄ）、（ｅ）は他の方式の脚部の外観斜視図である。
【図４】本発明に係る支持装置の第ニの実施形態を示す断面図（図１（ａ）のａ−ａ断面と同箇所）である。
【図５】特許文献１に係る支持枠を示す外観斜視図である。
【図６】特許文献２に係る支持枠を示す外観斜視図（ａ）および施工後の断面図（ｂ）である。
【符号の説明】
【００２７】
１    長尺体
２    支持フレーム
２ａ  支持フレーム固定孔
３    貫通スリーブ
３ａ  上面フランジ部
４    固定具（長尺体１を支持フレーム２に固定する）
５、１５  脚部
５ａ  アジャスターボルト
５ｂ  高さ調節ナット
５ｃ  受け足
６    上面フランジ部孔
７    固定具（支持フレーム２を貫通スリーブ３の上面フランジ部３ａに固定する）
８    長尺体固定具
８ａ  中ナット
８ｂ、８ｃ  固定ナット
１０、１１  支持装置
１２  支持板
１３  耐火ブロック
１５ｂ  支持フレーム２と同断面脚
１５ｃ  チャンネル脚
１５ｄ  Ｌ型アングル脚
１７    Ｌ型締結具
１７ａ  固定具
【図１】
2007318841.tif 000003
【図２】
2007318841.tif 000004
【図３】
2007318841.tif 000005
【図４】
2007318841.tif 000006
【図５】
2007318841.tif 000007
【図６】
2007318841.tif 000008